(57)【要約】  このクリア塗装ステンレス鋼板（１０）は、ステンレス鋼板（２０）と、ステンレス鋼板（２０）の少なくとも一方の面（２０ａ）に形成され、平均膜厚が０．０５μｍ以上３．００μｍ以下のクリア塗装皮膜（３０）と、を有する。
2020196870.tif 000002
【特許請求の範囲】
【請求項１】
ステンレス鋼板と、該ステンレス鋼板の少なくとも一方の面に形成され、平均膜厚が０．０５μｍ以上３．００μｍ以下のクリア塗装皮膜と、を有することを特徴とするクリア塗装ステンレス鋼板。
【請求項２】
前記クリア塗装皮膜の表面は凹凸面であり、該凹凸面において隣り合う２つの凸部の間隔が５０μｍ以上５００μｍ以下であり、
前記凹凸面において隣り合う凸部と凹部の高低差が２．００μｍ以下であることを特徴とする請求項１に記載のクリア塗装ステンレス鋼板。
【請求項３】
前記クリア塗装皮膜の表面における、純水、ハロゲン化物水溶液または海水との接触角が９０°以上であることを特徴とする請求項１または２に記載のクリア塗装ステンレス鋼板。
【請求項４】
前記クリア塗装皮膜が有機物粒子を含むことを特徴とする請求項１から３のいずれか１項に記載のクリア塗装ステンレス鋼板。
【発明の詳細な説明】
【技術分野】
【０００１】
本発明は、耐食性を有するクリア塗装ステンレス鋼板に関する。
本願は、２０１９年３月２８日に、日本に出願された特願２０１９−６３３３５号に基づき優先権を主張し、その内容をここに援用する。
【背景技術】
【０００２】
産業界におけるメンテナンスフリー化の要望から、外壁材、屋根材などの屋外向け建材として、優れた耐食性と美麗さを有するステンレス鋼板が使用されている。
屋外向けのステンレス鋼板としては、４４５Ｊ１に代表されるフェライト系ステンレス鋼が使用される。【０００３】
屋外に曝されたステンレス鋼板には、鉄粉が付着する場合がある。高い耐食性を有する鋼種のステンレス鋼板であっても、鉄粉が付着すると、鉄粉に起因するもらい錆などの初期錆が発生し、外観が劣化する場合がある。ステンレス鋼板の美麗な外観を損ねることなく、初期錆による外観の劣化を防止する方法として、一般に、ステンレス鋼板の表面にクリア塗装を施すことが知られている。【０００４】
クリア塗装が施されたクリア塗装ステンレス鋼板の耐食性を向上させる方法としては、クリア塗料に防錆顔料を添加する方法が知られている（例えば、特許文献１）。防錆顔料を用いる方法は、一般的な塗料に対しては有効な方法である。しかしながら、防錆顔料自体の透明性は低い。このため、クリア塗料に防錆顔料を添加すると、得られるクリア塗膜が濁った外観もしくは曇ったような外観となる。その結果、ステンレス鋼板の表面の外観を活かした高意匠という特性が損なわれる。また、防錆顔料の有無に関わらず、クリア塗膜上に鉄粉が付着すると、鉄粉に起因する初期錆が発生し、クリア塗料ステンレス鋼板の表面の外観が損なわれる。【０００５】
塗装ステンレス鋼板に対する鉄粉の付着を防止するために、指紋や汚れが付き難い塗装を施したものが知られている（例えば、特許文献２参照）。しかしながら、特許文献２の塗装ステンレス鋼板は、塗膜の表面における水との接触角が６０°未満であるため、水に濡れ易すい。そのため、特許文献２の塗装ステンレス鋼板は、塗膜上に水が滞留して、塗膜内に水が浸透し、耐食性が低下する懸念があった。
【先行技術文献】
【特許文献】
【０００６】
【特許文献１】日本国特許第４０２７８４８号公報
【特許文献２】日本国特開平１１−１０７９５号公報
【発明の概要】
【発明が解決しようとする課題】
【０００７】
本発明は、このような課題を解決するためになされたものであり、意匠性と耐初期錆性に優れるクリア塗装ステンレス鋼板を提供することを目的とする。
【課題を解決するための手段】
【０００８】
本発明は、以下の態様を有する。
［１］ステンレス鋼板と、該ステンレス鋼板の少なくとも一方の面に形成され、平均膜厚が０．０５μｍ以上３．００μｍ以下のクリア塗装皮膜と、を有するクリア塗装ステンレス鋼板。
［２］前記クリア塗装皮膜の表面は凹凸面であり、該凹凸面において隣り合う２つの凸部の間隔が５０μｍ以上５００μｍ以下であり、前記凹凸面において隣り合う凸部と凹部の高低差が２．００μｍ以下である［１］に記載のクリア塗装ステンレス鋼板。
［３］前記クリア塗装皮膜の表面における、純水、ハロゲン化物水溶液または海水との接触角が９０°以上である［１］または［２］に記載のクリア塗装ステンレス鋼板。
［４］前記クリア塗装皮膜が有機物粒子を含む［１］から［３］のいずれかに記載のクリア塗装ステンレス鋼板。
【発明の効果】
【０００９】
本発明によれば、意匠性と耐初期錆性に優れるクリア塗装ステンレス鋼板を提供することができる。
【図面の簡単な説明】
【００１０】
【図１】本発明のクリア塗装ステンレス鋼板の一実施形態の概略構成を示す断面図である。
【図２】本発明のクリア塗装ステンレス鋼板の一実施形態における、クリア塗装皮膜の表面の走査型電子顕微鏡像である。
【発明を実施するための形態】
【００１１】
以下、本発明のクリア塗装ステンレス鋼板の実施の形態について説明する。
【００１２】
［クリア塗装ステンレス鋼板］
図１は、本実施形態のクリア塗装ステンレス鋼板の概略構成を示す断面図である。
図１に示すように、本実施形態のクリア塗装ステンレス鋼板１０は、ステンレス鋼板２０と、ステンレス鋼板２０の一方の面２０ａに形成されたクリア塗装皮膜３０と、を有する。
【００１３】
「ステンレス鋼板」
ステンレス鋼板２０の種類は、特に限定されず、例えば、ＳＵＳ４３０、ＳＵＳ４３０ＬＸ、ＳＵＳ３０４、ＳＵＳ３１６、ＳＵＳ３１７Ｊ、ＳＵＳ４４５Ｊ１、ＳＵＳ４４５Ｊ２、ＳＵＳ４４７Ｊ１などからなる鋼板が挙げられる。これらの中でも、屋外での使用においては、高Ｃｒ、高Ｍｏ添加フェライト系ステンレス鋼板であるＳＵＳ４４５Ｊ１、ＳＵＳ４４５Ｊ２、ＳＵＳ４４７Ｊ１などからなる鋼板が好ましい。これら高Ｃｒ、高Ｍｏ添加フェライト系ステンレス鋼板は、耐食性に優れたオーステナイト系ステンレス鋼板であるＳＵＳ３０４、ＳＵＳ３１６、ＳＵＳ３１７Ｊや、耐食性に優れた二相ステンレス鋼板と比較して熱膨張性が少ないため、近年、大型屋根に多く採用されているため好ましい。
【００１４】
さらにフェライト系ステンレス鋼板としては、質量％で、Ｃ：０．００１〜０．０３％、Ｓｉ：０．０１〜１％、Ｍｎ：０．０１〜１．５％、Ｐ：０．００５〜０．０５％、Ｓ：０．０００１〜０．０１％、Ｃｒ：１１〜３０％、Ｎ：０．００１〜０．０３％、Ａｌ：０．００５〜１％、残部Ｆｅ及び不純物からなるステンレス鋼板が望ましい。このステンレス鋼板は、必要に応じて、Ｆｅの一部に替えて、質量％で、Ｓｎ：０．０１〜１％、Ｎｂ：０．０３〜０．５％、Ｔｉ：０．０３〜０．５％、Ｎｉ：０．１〜０．５％、Ｃｕ：０．１〜０．５％、Ｍｏ：０．１〜０．５％、Ｖ：０．０１〜０．５％、Ｚｒ：０．０１〜０．５％、Ｃｏ：０．０１〜０．５％、Ｍｇ：０．０００１〜０．００５％、Ｂ：０．０００３〜０．００５％以下、Ｃａ：０．００５％以下Ｌａ：０．００１〜０．１％、Ｙ：０．００１〜０．１％、Ｈｆ：０．００１〜０．１％及びＲＥＭ：０．００１〜０．１％のうちから選ばれる１種又は２種以上を含有することが可能である。
【００１５】
ステンレス鋼板２０の一方の面２０ａおよび他方の面２０ｂの表面仕上げは、特に限定されず、例えば、ＪＩＳ  Ｇ  ４３０５：２０１５における表面仕上げの記号で、Ｎｏ．２Ｂ、Ｎｏ．２Ｄ、ＨＬなどに規定された状態とする。
【００１６】
ステンレス鋼板２０の厚みは、特に限定されないが、例えば、屋根材などの屋外向け建材用途では、０．１ｍｍ以上１０．０ｍｍ以下であることが好ましい。
【００１７】
「クリア塗装皮膜」
クリア塗装皮膜３０の平均膜厚は、０．０５μｍ以上３．００μｍ以下である。好ましくは、０．１０μｍ以上、０．５０μｍ以上または１．００μｍ以上である。また、より好ましくは、２．５０μｍ以下または１．５０μｍ以下である。
クリア塗装皮膜３０の平均膜厚が０．０５μｍ未満の場合、ステンレス鋼板２０の一方の面２０ａにおける凹凸に起因するクリア塗装皮膜３０が形成されない部分が生じ、クリア塗装皮膜３０による耐食性を向上する効果が発揮されない。
一方、クリア塗装皮膜３０の平均膜厚が３．００μｍを超える場合、クリア塗装皮膜３０の色調が白色化し（濁り）、クリア塗装ステンレス鋼板としての外観が損なわれる。
【００１８】
ここで、図１に示すように、クリア塗装皮膜３０のうち、ステンレス鋼板２０と接する面とは反対側の面を、クリア塗装皮膜３０の表面３０ａという。クリア塗装皮膜３０の表面３０ａは、凹凸面である。すなわち、クリア塗装皮膜３０の表面３０ａは、複数の凸部３１と凹部３２を有する凹凸面である。
【００１９】
凹凸面を有するクリア塗装皮膜３０の平均膜厚は、クリア塗装ステンレス鋼板１０の厚さ方向の断面を、走査型電子顕微鏡（ＳＥＭ）で観察することにより測定される。クリア塗装皮膜３０において、凹部３２の最も深い点３２ａからステンレス鋼板２０の一方の面２０ａまでの距離ｔ１を３点測定し、その３点の平均値をクリア塗装皮膜３０の平均膜厚とする。
【００２０】
クリア塗装皮膜３０の表面３０ａの凹凸面において、隣り合う２つの凸部３１の間隔ｄ１、すなわち、隣り合う２つの凸部３１の頂点（凸部３１における最も高い点）３１ａの間隔ｄ１が、５０μｍ以上５００μｍ以下であることが好ましい。好ましくは、１００μｍ以上、２００μｍ以上である。また、より好ましくは、４５０μｍ以下、４００μｍ以下である。
隣り合う２つの凸部３１の間隔ｄ１が前記の範囲内であれば、後述する塩の析出によるクリア塗装皮膜３０の劣化を防止することができる。また、隣り合う２つの凸部３１の間隔ｄ１が５００μｍを超えると、クリア塗装皮膜３０の表面の色調が不均一となり、外観が損なわれる。
【００２１】
図２に、クリア塗装皮膜３０の表面３０ａの走査型電子顕微鏡像示す。
【００２２】
クリア塗装皮膜３０の表面３０ａにおいて、隣り合う２つの凸部３１の間隔ｄ１は、マイクロスコープ(キーエンス製：ＶＨＸ−５０００)を用いて、クリア塗装皮膜３０の表面３０ａを観察し、機器付属ソフトにより二点間距離を３点測定し、その平均値を算出することにより測定される。
【００２３】
上記の凹凸面において、隣り合う凸部３１と凹部３２の高低差ｈ１、すなわち、凸部３１の頂点３１ａと凹部３２の最も深い点３２ａの高低差ｈ１が２．００μｍ以下であることが好ましい。より好ましくは、１．８０μｍ以下、１．５０μｍ以下、１．２０μｍ以下または１．００μｍ以下である。なた、下限は特に限定する必要はないが、例えば、０．０１μｍ以上、０．０３μｍ以上としてもよい。
隣り合う凸部３１と凹部３２の高低差ｈ１が前記の範囲内であれば、後述する塩の析出によるクリア塗装皮膜３０の劣化を防止することができる。また、隣り合う凸部３１と凹部３２の高低差ｈ１が２．００μｍを超えると、クリア塗装皮膜３０の表面の色調が不均一となり、外観が損なわれる。
【００２４】
隣り合う凸部３１と凹部３２の高低差ｈ１、すなわち、凸部３１の頂点３１ａと凹部３２の最も深い点３２ａの高低差ｈ１は、走査型電子顕微鏡（ＳＥＭ）で観察することにより測定される。高低差ｈ１はクリア塗装皮膜３０において、凹部３２の最も深い点３２ａから隣り合う２つの凸部３１の頂点（凸部３１における最も高い点）３１ａまでの距離ｔ２を３点測定し、その３点の平均値を隣り合う凸部３１と凹部３２の高低差ｈ１とする。
【００２５】
クリア塗装皮膜３０の表面３０ａにおける、純水、ハロゲン化物水溶液または海水との接触角が９０°以上であることが好ましい。より好ましくは、９５°以上または１００°以上がよい。
クリア塗装皮膜３０の表面３０ａにおける、純水、ハロゲン化物水溶液または海水との接触角が９０°以上であれば、クリア塗装皮膜３０の表面３０ａに純水、ハロゲン化物水溶液または海水などの液滴が滞留することがなく、後述する塩の析出によるクリア塗装皮膜３０の劣化を防止することができる。
【００２６】
クリア塗装皮膜３０の表面３０ａにおける、純水、ハロゲン化物水溶液または海水との接触角は、接触角計を用いて、２５℃で測定される。クリア塗装皮膜３０の表面３０ａにおいて、接触角を１０点測定し、その平均値をクリア塗装皮膜３０の表面３０ａの接触角とする。接触角は測定原理上、測定に使用する溶液の表面張力により変化する。本発明において接触角は、ハロゲン化物水溶液、海水の表面張力の変化よりも、膜厚や凹凸形状の影響を強く受けたため、純水での測定とした。すなわち、ハロゲン化物水溶液、海水の場合の接触角は、純水での接触角の測定値とほぼ同じになるので、純水による接触角の測定値によって、ハロゲン化物水溶液または海水の接触角の測定値に代替できる。
【００２７】
次に、上記の凹凸における、隣り合う２つの凸部３１の間隔ｄ１、および、隣り合う凸部３１と凹部３２の高低差ｈ１の限定理由を説明する。
【００２８】
一般にクリア塗装皮膜は、疎水性を有している。このため、クリア塗装皮膜の表面は、水や水溶液に対して撥水性を示す。さらに、クリア塗装皮膜は、塗装表面の凹凸が大きい程、すなわち、塗装表面の粗さが大きくなる程、撥水性が向上する。
【００２９】
本実施形態のクリア塗装ステンレス鋼板１０では、クリア塗装皮膜３０の表面３０ａにおける、隣り合う凸部３１と凹部３２の高低差ｈ１が大きい程、撥水性が向上する。本実施形態のクリア塗装ステンレス鋼板１０において重要な性能である耐初期錆性と撥水性については、撥水性が高い程、ステンレス鋼板２０への水溶液の付着頻度が抑制され、クリア塗装皮膜３０の劣化が抑制される。クリア塗装皮膜３０の劣化は、ステンレス鋼板２０への水溶液の到達を容易にし、ステンレス鋼板２０の腐食を促進する。そのため、クリア塗装皮膜３０の撥水性の向上は、耐初期錆性の向上に有効である。また、鉄粉等に起因するもらい錆についても撥水性が高い程、洗い流し効果により鉄粉の付着を抑制できるため、もらい錆に起因する初期錆についても、撥水性の向上が有効である。また、本発明者らは、上記撥水性の臨界は、クリア塗装皮膜３０の表面３０ａにおける、純水、ハロゲン化物水溶液または海水との接触角が９０°以上であることを見出した。
【００３０】
一方、クリア塗装ステンレス鋼板の耐食性を向上する観点においては、海水や凝縮水のような塩化物イオンを含む水溶液が最も厳しい腐食環境と考えられる。海水は乾燥時に塩化ナトリウム（ＮａＣｌ）などの塩を生成し、この塩がクリア塗装皮膜の表面の凹凸に入り込み、クリア塗装皮膜の劣化を促進する。
【００３１】
そこで、本実施形態のクリア塗装ステンレス鋼板１０では、塩の析出によるクリア塗装皮膜３０の劣化を防止するために、隣り合う２つの凸部３１の間隔ｄ１、および、隣り合う凸部３１と凹部３２の高低差ｈ１を上記の範囲に規定する。
【００３２】
クリア塗装皮膜３０の樹脂成分としては、特に限定されないが、フッ素、ウレタン、シリコーン、シリコーンポリエステル、アクリルなど、広く外装建材用に用いられる透明塗料に含まれる樹脂を使用することができる。クリア塗装皮膜３０の形成に用いる塗料は、水性系または有機溶剤系のいずれであってもよい。
【００３３】
クリア塗装皮膜３０は、有機物粒子を含んでいてもよい。言い換えれば、クリア塗装皮膜３０内には、有機物粒子が分散していてもよい。
有機物粒子の大きさ、含有量、種類は、クリア塗装皮膜３０の透明性を著しく阻害するものでなければ、特に限定されない。
本実施形態において使用することが好ましい有機物粒子としては、潤滑剤として利用されているワックス類や金属石鹸が挙げられる。
【００３４】
ワックス類としては、例えば、ポリエチレンワックス、カルナバワックス、パラフィンワックス、ポリテトラフルオロエチレンワックスなどが挙げられる。
金属石鹸としては、例えば、ステアリン酸塩、オレイン酸塩、ラウリン酸塩、ドデシルベンゼンスルホン酸塩などが挙げられる。
上記のワックス類や金属石鹸以外の有機物粒子も、使用できる。
また、有機物粒子は、１種を単独で使用してもよく、２種以上を混合して使用してもよい。
【００３５】
クリア塗装皮膜３０における有機物粒子の含有量は、特に限定されず、クリア塗装皮膜３０の樹脂成分などに応じて、適宜調整する。
【００３６】
クリア塗装皮膜３０が上記の有機物粒子を含むことにより、クリア塗装皮膜３０の耐食性が向上する。
【００３７】
クリア塗装皮膜３０は、有機物粒子に加えて、意匠性を付与する目的で酸化ケイ素や酸化チタンなどの顔料を含んでいてもよい。これらの顔料がクリア塗装皮膜３０に過剰に含まれると、ステンレス鋼板特有の外観が損なわれることがある。また、外観を損なわない程度に、クリア塗装皮膜３０に微量の顔料が含まれていても、使用時にチョーキングといわれる白化により外観が劣化する可能性がある。そこで、クリア塗装皮膜３０における顔料の含有量は、チョーキングを生じない範囲とする。大型構造物の屋根や外装材のように、使用される面積が広大な場合には、チョーキングが発生して外観が劣化した場合、莫大な修復費用がかかるため、顔料の含有量を調整することは重要なことである。
【００３８】
「クリア塗装ステンレス鋼板の製造方法」
本実施形態のクリア塗装ステンレス鋼板の製造方法は、例えば、塗料を調整する工程と、前記の塗料を、ダル仕上げされたステンレス鋼板２０の一方の面２０ａに塗装して塗膜を形成する工程と、前記の塗膜を乾燥し、硬化して、ステンレス鋼板２０の一方の面２０ａにクリア塗装皮膜３０を形成する工程と、を有する。塗料には、クリア塗装皮膜３０の樹脂成分を含む溶液もしくはエマルジョンである樹脂液が含まれる。このクリア塗装ステンレス鋼板の製造方法により、本実施形態のクリア塗装ステンレス鋼板が製造される。
【００３９】
上記の塗料は、上記の有機物粒子を含んでいてもよい。
塗料に含まれる樹脂固形分に対する有機物粒子の含有量を調整することにより、クリア塗装皮膜３０を構成する樹脂に対する有機物粒子の含有量を調整することができる。
塗料が上記の有機物粒子を含む場合、ステンレス鋼板２０の一方の面２０ａに塗料を塗装する前に、適当な攪拌手段によって、塗料に有機物粒子を十分に分散させることが好ましい。
【００４０】
ステンレス鋼板２０の一方の面２０ａへの塗料の塗装方法は、特に限定されない。塗装方法としては、例えば、ロールコーター、バーコーター、スプレー、カーテンフローコーター、刷毛などを用い、所定の膜厚が得られる方法が挙げられる。これらの塗装方法により、ステンレス鋼板２０の一方の面２０ａへ塗料を塗布した後、常温乾燥やオーブン、加熱炉などで乾燥し、クリア塗装皮膜３０を形成する。必要に応じて、焼付けを行ってもよい。クリア塗装皮膜３０の表面３０ａの凹凸面の形状を精密に制御する場合には、ロールコーターやバーコーター等を使用することが有効である。
【００４１】
例えば、バーコーターとロールコーターを用いてステンレス鋼板２０に塗料を塗布する場合、塗布速度を変えることにより、隣り合う２つの凸部の間隔や、隣り合う凸部と凹部の高低差を調整することができる。塗布速度を上げると、隣り合う２つの凸部の間隔を広くし、隣り合う凸部と凹部の高低差を大きくすることができる。さらに、塗料を重ね塗りすることによっても、隣り合う２つの凸部の間隔や、隣り合う凸部と凹部の高低差を調整することができる。
【００４２】
図１に示すように、本実施形態のクリア塗装ステンレス鋼板１０では、外面に向けられるステンレス鋼板２０の一方の面２０ａ面のみにクリア塗装皮膜３０が形成されている場合を例示したが、本実施形態のクリア塗装ステンレス鋼板１０はこれに限定されない。本実施形態のクリア塗装ステンレス鋼板１０は、ステンレス鋼板２０の一方の面２０ａおよび他方の面２０ｂの両面に、クリア塗装皮膜３０が形成されていてもよい。ステンレス鋼板２０の一方の面２０ａのみにクリア塗装皮膜３０が形成される場合、ステンレス鋼板２０の他方の面２０ｂには皮膜が形成されていなくてもよく、あるいは、クリア塗装皮膜以外の適当な皮膜、例えば、有機物粒子を含有しない透明樹脂皮膜または着色顔料を含有する着色樹脂皮膜が形成されていてもよい。
【００４３】
ステンレス鋼板の下地処理は必須ではないが、下地処理により耐食性と塗膜との密着性を改善することができるため、金属板の塗装では一般に下地処理が採用されている。本実施形態のクリア塗装ステンレス鋼板１０では、ステンレス鋼板２０の一方の面２０ａや他方の面２０ｂに、クロメート処理またはクロムフリーの下地処理を施すことにより、ステンレス鋼板２０の耐食性を向上するとともに、ステンレス鋼板２０とクリア塗装皮膜３０の密着性を向上することが可能である。
【００４４】
本実施形態のクリア塗装ステンレス鋼板によれば、屋根材などの屋外向け建材用途における意匠性と耐初期錆性を向上することができる。
【実施例】
【００４５】
本発明の効果を詳細に確認するため、以下の実験を行った。なお、本実施例は、本発明の一実施例を示すものであり、本発明は以下の構成に限定されるものではない。【００４６】
［実験例］
ステンレス鋼板としては、板厚１．０ｍｍのＳＵＳ３０４の２Ｂ製品を用いた。
ステンレス鋼板の一方の面に、市販のアクリル系塗料（商品名：アクリルクラッカーＥＣＯ透明クリヤー、サンデーペイント社製）を塗布した。
アクリル系塗料の塗布には、バーコーターとロールコーターを用いて、表１に示すクリア塗装皮膜の平均膜厚（μｍ）、隣り合う２つの凸部の間隔（μｍ）、凸部と凹部の高低差（μｍ）になるように塗膜を形成した。
その後、１２０ ℃で６０秒の焼付けを行って、クリア塗装皮膜を有するステンレス鋼板（クリア塗装ステンレス鋼板）を作製した。【００４７】
なお、表１において、Ｎｏ．Ａ１〜Ｎｏ．Ａ９は、クリア塗装皮膜の平均膜厚が０．０５μｍ以上３．００μｍ以下、クリア塗装皮膜の凹凸面において隣り合う２つの凸部の間隔が５０μｍ以上５００μｍ以下、クリア塗装皮膜の凹凸面において隣り合う凸部と凹部の高低差が２．００μｍ以下、および、クリア塗装皮膜の表面における純水との接触角が９０°以上であることを全て満たす、本発明の実施例のクリア塗装ステンレス鋼板を示す。【００４８】
また、表１において、Ｎｏ．Ｂ１〜Ｎｏ．Ｂ１１およびＮｏ．Ｃ１〜Ｎｏ．Ｃ９は、クリア塗装皮膜の平均膜厚が０．０５μｍ以上３．００μｍ以下、クリア塗装皮膜の凹凸面において隣り合う２つの凸部の間隔が５０μｍ以上５００μｍ以下、クリア塗装皮膜の凹凸面において隣り合う凸部と凹部の高低差が２．００μｍ以下、および、クリア塗装皮膜の表面における純水との接触角が９０°以上であることの少なくとも１つを満たさない、本発明の比較例のクリア塗装ステンレス鋼板を示す。【００４９】
バーコーターとロールコーターを用いてアクリル系塗料を塗布する際に、塗布速度を変えることにより、隣り合う２つの凸部の間隔や、隣り合う凸部と凹部の高低差を調整する。塗布速度を上げると、隣り合う２つの凸部の間隔を広くし、隣り合う凸部と凹部の高低差を大きくすることができる。さらに、アクリル系塗料を重ね塗りすることによっても、隣り合う２つの凸部の間隔や、隣り合う凸部と凹部の高低差を調整することができる。【００５０】
［評価］
Ｎｏ．Ａ１〜Ｎｏ．Ａ９、Ｎｏ．Ｂ１〜Ｎｏ．Ｂ１１およびＮｏ．Ｃ１〜Ｎｏ．Ｃ９で得られたクリア塗装ステンレス鋼板について、「クリア塗装皮膜の平均膜厚」、「隣り合う２つの凸部の間隔」、「隣り合う凸部と凹部の高低差」、「接触角（撥水性）」、および、「耐食性」を評価した。【００５１】
（クリア塗装皮膜の平均膜厚）
クリア塗装皮膜の平均膜厚を、クリア塗装ステンレス鋼板の厚さ方向の断面を、走査型電子顕微鏡（商品名：ＪＳＭ−６４９０Ａ、日本電子社製）で観察することにより測定した。クリア塗装皮膜において、凹部の最も深い点からステンレス鋼板の一方の面までの距離を３点測定し、その平均値をクリア塗装皮膜の平均膜厚とした。
平均膜厚が０．０５μｍ未満の場合、耐食性が劣化するため、不合格とした。また、平均膜厚が３．００μｍを超える場合、クリア塗装皮膜の濁りが顕著になるため、不合格とした。なお、平均膜厚が２．００〜３．００μmの範囲では、クリア塗装皮膜が若干濁るが、実用上問題ないため、総合判定では合格とした。結果を表１に示す。【００５２】
（隣り合う２つの凸部の間隔）
クリア塗装皮膜の表面において、隣り合う２つの凸部の間隔を、マイクロスコープ（商品名：ＶＨＸ−５０００、キーエンス社製）を用いて、クリア塗装皮膜の表面を観察することにより測定した。機器付属ソフトにより二点間距離を３点測定し、その平均値を算出することにより測定した。
隣り合う２つの凸部の間隔が５０μｍ未満の場合、塩化物水溶液中のＮａＣｌが析出し、クリア塗装皮膜が破壊され、クリア塗装皮膜が劣化し、耐食性が劣化するため、不合格とした。また、隣り合う２つの凸部の間隔が５００μｍを超える場合、後述する熱処理後のクリア塗装皮膜の色調が不均一となり、クリア塗装ステンレス鋼板の外観が損なわれるため、不合格とした。結果を表１に示す。【００５３】
（隣り合う凸部と凹部の高低差）
クリア塗装皮膜の表面において、隣り合う凸部と凹部の高低差を、走査型電子顕微鏡（商品名：ＪＳＭ−６４９０Ａ、日本電子社製）で観察することにより測定した。高低差はクリア塗装皮膜において、凹部の最も深い点から隣り合う２つの凸部の頂点（凸部における最も高い点）までの距離を３点測定し、その３点の平均値を隣り合う凸部３１と凹部３２の高低差とした。
隣り合う凸部と凹部の高低差が２μｍを超えると、後述する熱処理後のクリア塗装皮膜の色調が不均一となり、クリア塗装ステンレス鋼板の外観が損なわれるため、不合格とした。結果を表１に示す。【００５４】
（接触角）
クリア塗装皮膜の表面に１．８μＬの純水を滴下し、接触角計（商品名：ＤＭｓ−４０１、協和界面化学社製）を用いて、２５℃で、クリア塗装皮膜の表面における純水の接触角を測定した。クリア塗装皮膜の表面において、接触角を１０点測定し、その平均値をクリア塗装皮膜の表面の接触角とした。
接触角が９０°未満の場合、クリア塗装皮膜の表面に純水の液滴が滞留し、クリア塗装皮膜の劣化を早め、クリア塗装ステンレス鋼板の耐食性が劣化するため、不合格とした。結果を表１に示す。【００５５】
（耐食性)
Ｎｏ．Ａ１〜Ｎｏ．Ａ９、Ｎｏ．Ｂ１〜Ｎｏ．Ｂ１１およびＮｏ．Ｃ１〜Ｎｏ．Ｃ９で得られたクリア塗装ステンレス鋼板の耐食性を評価した。
クリア塗装ステンレス鋼板の耐食性について、ＪＡＳＯ−Ｍ６０９に準拠した乾湿繰り返し試験を５０サイクル行い、試験後のクリア塗装ステンレス鋼板の外観を目視により観察した。ここで、錆部と健全部（腐食していない部分）を二値化し、画像処理によって、錆部の面積率を判定した。クリア塗装ステンレス鋼板の表面において、錆部の面積率が５％未満を合格「○」、５％以上を不合格「×」とした。結果を表１に示す。【００５６】
【表１】
2020196870.tif 000003
【００５７】
クリア塗装ステンレス鋼板の長手方向および幅方向のそれぞれにおいて目視にて観察し、両方向ともに白色化と光沢むらが確認されなったものを、透明性が良好であり、合格とした。クリア塗装ステンレス鋼板の長手方向および幅方向のそれぞれにおいて目視にて観察し、長手方向および幅方向の少なくとも一方において、白色化と光沢むらが確認されたものを、透明性が不良であり、不合格とした。【００５８】
クリア塗装ステンレス鋼板の長手方向および幅方向のそれぞれにおいて目視にて観察し、両方向ともに光沢むらが確認されなったものを「○」とした。クリア塗装ステンレス鋼板の長手方向および幅方向のそれぞれにおいて目視にて観察し、長手方向および幅方向の少なくとも一方において光沢むらが確認されたものを「×」とした。【００５９】
また、表１において、耐食性、透明性および光沢むらの全てが合格の場合に、総合判定を「○」、耐食性、透明性および光沢むらの少なくとも１つが不合格の場合に、総合判定を「×」とした。【００６０】
表１の結果から、Ｎｏ．Ａ１〜Ｎｏ．Ａ９のクリア塗装ステンレス鋼板は、耐食性、透明性および光沢むらに優れることが分かった。【００６１】
一方、Ｎｏ．Ｂ１〜Ｎｏ．Ｂ１１およびＮｏ．Ｃ１〜Ｎｏ．Ｃ９のクリア塗装ステンレス鋼板は、耐食性、透明性および光沢むらの少なくとも１つが劣ることが分かった。【００６２】
更に、表１に示すクリア塗装ステンレス鋼板を、海岸に隣接する製鉄所の構内に設置し、３ヶ月間放置することにより、耐初期錆性を評価した。クリア塗装ステンレス鋼板としては、一辺が１ｍの正方形状の鋼板とした。３ヶ月放置後も初期錆が発生しなかった場合を、耐初期錆性が良好として「○」と評価し、初期錆が発生した場合を「×」と評価した。Ｎｏ．Ａ１〜Ｎｏ．Ａ９のクリア塗装ステンレス鋼板では、耐初期錆性が良好であった。
【産業上の利用可能性】
【００６３】
本発明のクリア塗装ステンレス鋼板は、意匠性と耐初期錆性に優れるため、屋根材などの屋外向け建材用途に好適である。
【符号の説明】
【００６４】
１０  自動車排気系部品用クリア塗装ステンレス鋼板（クリア塗装ステンレス鋼板）
２０  ステンレス鋼板
３０  クリア塗装皮膜
【図１】
2020196870.tif 000004
【図２】
2020196870.tif 000005
【手続補正書】
【提出日】令和3年4月22日(2021.4.22)
【手続補正１】
【補正対象書類名】特許請求の範囲
【補正対象項目名】全文
【補正方法】変更
【補正の内容】
【特許請求の範囲】
【請求項１】
ステンレス鋼板と、該ステンレス鋼板の少なくとも一方の面に形成され、平均膜厚が０．０５μｍ以上３．００μｍ以下のクリア塗装皮膜と、を有し、
前記クリア塗装皮膜の表面は凹凸面であり、該凹凸面において隣り合う２つの凸部の間隔が５０μｍ以上５００μｍ以下であり、
前記凹凸面において隣り合う凸部と凹部の高低差が２．００μｍ以下であることを特徴とするクリア塗装ステンレス鋼板。
【請求項２】
前記クリア塗装皮膜の表面における、純水、ハロゲン化物水溶液または海水との接触角が９０°以上であることを特徴とする請求項１に記載のクリア塗装ステンレス鋼板。
【請求項３】
前記クリア塗装皮膜が有機物粒子を含むことを特徴とする請求項１または２に記載のクリア塗装ステンレス鋼板。
【国際調査報告】
2020196870.tif 000006
2020196870.tif 000007
2020196870.tif 000008
2020196870.tif 000009
2020196870.tif 000010
2020196870.tif 000011